(57)【特許請求の範囲】
【請求項１】
互いに平行な２側面を少なくとも１組有する略角柱状のリレーと、差込接続された前記リレーを保持して前記リレーを被取付部に取付けるための取付ベースとを備え、
前記２側面の一側の面に第１係合部が設けられ、
前記２側面の他側の面に前記リレーの差込方向と略直交する方向の幅が前記第１係合部よりも広い第２係合部が設けられ、
前記取付ベースには、前記差込方向において、前記第１係合部と係合するための第１係合片と、前記第２係合部と係合するための第２係合片とが設けられ、
前記取付ベースの前記第１係合片には、前記第１係合部に対応する位置に前記第１係合部と係合する第１被係合部が設けられ、
前記取付ベースの前記第２係合片には、前記第２係合部に対応する位置に前記第２係合部と係合する第２被係合部が設けられ、
前記第１係合部が前記第１被係合部に、前記第２係合部が前記第２被係合部に、それぞれ挿入される方向を正規の差込方向とすることを前提として、前記第２被係合部と干渉して前記第１係合部と前記第２被係合部との係合を妨げる誤組防止部が前記第１係合部に設けられ、
前記第１係合片と前記第２係合片とは、前記差込方向と直交する方向であって互いが向き合う方向において撓み自在であることを特徴とするリレー装置。
【請求項２】
前記第１係合部は凸形状であり、前記差込方向と前記第１係合片の撓み方向とに直交する方向において張り出すように前記誤組防止部が設けられたことを特徴とする請求項１記載のリレー装置。
【請求項３】
前記誤組防止部は、前記第１係合部において前記差込方向における前側に設けられたことを特徴とする請求項２記載のリレー装置。
【請求項４】
前記第１係合部は凸形状であり、前記差込方向と平行な方向において張り出すように前記誤組防止部が設けられたことを特徴とする請求項１記載のリレー装置。
【発明の詳細な説明】
【技術分野】
【０００１】
本発明は、リレー装置に関するものである。
【背景技術】
【０００２】
従来、ボディ及びカバーからなるハウジングの内部に、接点及び駆動部を収容したリレーがあった（特許文献１参照）。このリレーでは、カバーの平行な２側面にそれぞれ孔が設けられて、それらの孔に対応して係合する凸部がそれぞれボディに設けられていた。
【先行技術文献】
【特許文献】
【０００３】
【特許文献１】特開２００８−１５９４７５号公報
【発明の概要】
【発明が解決しようとする課題】
【０００４】
ところで、上述のようなリレーを被取付部に取付けるために、差込接続されたリレーを保持してリレーを被取付部に取付ける取付ベースが使用されるが、リレーと取付ベースとの係合を特許文献１に示されるような構造にすると次のような問題点が生じる。
【０００５】
リレーの平行な２側面にそれぞれ設けられた凸部と、この２つの凸部に対応して係合するようにそれぞれ取付ベースに設けられた孔との係合によって、リレーが取付ベースに取付けられる。ここで、この２つの凸部の幅を変えることで、組立方向の間違いが起こらないようにすることが考えられるが、幅の狭い凸部は幅の広い孔に係合できるため、組立方向を間違える可能性があった。
【０００６】
本発明は、上記事由に鑑みてなされたものであり、その目的は、組立ミスが起こりにくいリレー装置を提供することにある。
【課題を解決するための手段】
【０００７】
上記課題を解決するために本発明のリレー装置は、互いに平行な２側面を少なくとも１組有する略角柱状のリレーと、差込接続された前記リレーを保持して前記リレーを被取付部に取付けるための取付ベースとを備える。前記２側面の一側の面に、第１係合部が設けられる。前記２側面の他側の面に、前記リレーの差込方向と略直交する方向の幅が前記第１係合部よりも広い第２係合部が設けられる。前記取付ベースには、前記差込方向において、前記第１係合部と係合するための第１係合片と、前記第２係合部と係合するための第２係合片とが設けられる。前記取付ベースの前記第１係合片には、前記第１係合部に対応する位置に前記第１係合部と係合する第１被係合部が設けられる。前記取付ベースの前記第２係合片には、前記第２係合部に対応する位置に前記第２係合部と係合する第２被係合部が設けられる。前記第１係合部が前記第１被係合部に、前記第２係合部が前記第２被係合部に、それぞれ挿入される方向を正規の差込方向とすることを前提として、前記第２被係合部と干渉して前記第１係合部と前記第２被係合部との係合を妨げる誤組防止部が前記第１係合部に設けられる。そして、前記第１係合片と前記第２係合片とは、前記差込方向と直交する方向であって互いが向き合う方向において撓み自在であることを特徴とする。
【０００８】
このリレー装置において、前記第１係合部は凸形状であり、前記差込方向と前記第１係合片の撓み方向とに直交する方向において張り出すように前記誤組防止部が設けられたことが好ましい。
【０００９】
このリレー装置において、前記誤組防止部は、前記第１係合部において前記差込方向における前側に設けられたことも好ましい。
このリレー装置において、前記第１係合部は凸形状であり、前記差込方向と平行な方向において張り出すように前記誤組防止部が設けられたことが好ましい。
【発明の効果】
【００１０】
本発明では、組立ミスが起こりにくいという効果がある。
【図面の簡単な説明】
【００１１】
【図１】実施形態１のリレー装置を示し、（ａ）は正面図、（ｂ）は左側面図、（ｃ）は右側面図である。
【図２】同上のリレーを示し、（ａ）は正面図、（ｂ）は左側面図、（ｃ）は右側面図、（ｄ）は上面図である。
【図３】同上の取付ベースを示し、（ａ）は正面図、（ｂ）は左側面図、（ｃ）は右側面図、（ｄ）は上面図である。
【図４】実施形態２のリレー装置を示し、（ａ）は正面図、（ｂ）は左側面図、（ｃ）は右側面図である。
【図５】同上のリレーを示し、（ａ）は正面図、（ｂ）は左側面図、（ｃ）は右側面図、（ｄ）は上面図である。
【図６】同上の取付ベースを示し、（ａ）は正面図、（ｂ）は左側面図、（ｃ）は右側面図、（ｄ）は上面図である。
【発明を実施するための形態】
【００１２】
以下、本発明の実施の形態を図面に基づいて説明する。
【００１３】
（実施形態１）
実施形態１のリレー装置Ａを図１〜図３に基づいて説明する。尚、以下の説明では、図１（ａ）に示す向きにおいて上下左右の方向を規定し、紙面手前側を前方、紙面奥側を後方として説明を行う。
【００１４】
リレー装置Ａは、図１に示すように、リレー１と、取付ベース２とを備え、被取付部（図示せず）に取付けられる。
【００１５】
リレー１は、合成樹脂により略直方体状に形成されたハウジング１１を備えている。
【００１６】
ハウジング１１の内部には、図示は省略するが、リレーコイルと、接点部と、リレーコイルへの通電に応じて接点部を開閉する開閉機構が収容される。第１係合部１１ａと第２係合部１１ｂとが、リレー１の左右方向及び前後方向の対称軸に対して、略対称な位置のハウジング１１の右側面と左側面にそれぞれ設けられている。
【００１７】
第２係合部１１ｂは、ハウジング１１の左側面の下部略中央に、ハウジング１１と一体成形で設けられている。第２係合部１１ｂは、前後方向の幅が略一定で上下方向に細長い形状であり、前後方向の幅が第１係合部１１ａの前後方向の幅よりも広く、ハウジング１１の左側面からの突出量が上部ほど大きくなるような略楔形である。
【００１８】
第１係合部１１ａは、ハウジング１１の右側面の下部略中央に、ハウジング１１と一体成形で設けられている。第１係合部１１ａは、前後方向の幅が略一定で上下方向に細長い形状であり、ハウジング１１の右側面からの突出量が上部ほど大きくなるような略楔形である。
【００１９】
第１係合部１１ａの上部には、第２係合部１１ｂの上端位置よりも更に上方に延びる突出部１１ｃが一体に設けられ、この突出部１１ｃが誤組防止部となる。
【００２０】
ハウジング１１の下面からは４本の端子１２１、１２２、１２３、１２４が下方に突出している。端子１２１〜１２４は、例えば銅等の電気伝導性の良好な材料からなり、それぞれ略同一形状の略矩形板状である。４本の端子の内、端子１２１、１２２はリレーコイルに電気的に接続されたリレー端子であり、ハウジング１１の下面左側に、前後方向に並べて配置されている。残りの端子１２３、１２４は、接点部に接続された端子であり、ハウジング１１の下面の右側に、左右方向に並べて配置されている。
【００２１】
ここにおいて、端子１２１、１２２を介してリレーコイルへ通電状態が切り替わると、接点部のオン／オフが切り替わり、端子１２３、１２４間が短絡又は開放される。
【００２２】
取付ベース２は、例えば合成樹脂等の絶縁材料からなる略左右対称の成形品であり、上下方向に貫通する挿入空間Ｓが設けられた筒状であって、係合片２１、２２、２３、２４と、ストッパ片２５、２６とを備える。
【００２３】
係合片２１、２２は、取付ベース２上部の右側板と左側板にそれぞれ上方に張り出すように設けられた、互いに平行で上側が左右方向において撓み自在となる板状である。係合片２１の略中央部には、第１係合部１１ａに対応する部位に第１被係合部２１ａが設けられている。係合片２２の略中央部には、第２係合部１１ｂに対応する部位に第２被係合部２２ｂが設けられている。
【００２４】
係合片２３、２４は、取付ベース２下部の右側板と左側板にそれぞれ下方に張り出すように設けられた、互いに平行で下側が左右方向において撓み自在となる板状である。係合片２３の略中央部には、被取付部（図示せず）に設けられた突出部に対応する第３被係合部２３ａが設けられている。係合片２４の略中央部には、被取付部に設けられた突出部に対応する第４被係合部２４ｂが設けられている。
【００２５】
ストッパ片２５、２６は、取付ベース２の内面から挿入空間Ｓに突出し、上端の位置が略同じ位置に設けられている。
【００２６】
次に、リレー装置Ａの組立作業の説明をする。この取付ベース２にリレー１を取付けるには、まず作業者は、端子１２１〜１２４が下側になるように、取付ベース２の上方から挿入空間Ｓにリレー１を挿入する。すると、第１係合部１１ａと第２係合部１１ｂに押されて係合片２１、２２が互いに遠ざかる方向に弾性変形した後、第１係合部１１ａと第２係合部１１ｂがそれぞれ第１被係合部２１ａと第２被係合部２２ｂに係合して、係合片２１、２２の弾性変形が元に戻る。そして、ハウジング１１の下面とストッパ片２５、２６の上面との当接と、第１係合部１１ａの上部と第１被係合部２１ａとの当接と、第２係合部１１ｂの上部と第２被係合部２２ｂとの当接によって、リレー１が上下方向において位置決めされる。同時に、前後方向と左右方向におけるリレー１の位置決めが、挿入空間Ｓに面する取付ベース２の面と、ハウジング１１の４側面との当接によってなされる。これらの位置決めによって、リレー１が取付ベース２に保持される。リレー１が取付ベース２に係合することで、ハウジング１１の下部及び端子１２１〜１２４を覆うように取付ベース２がリレー１を保持し、リレー装置Ａが組み上がる。
【００２７】
正規の取付方向でリレー１が取付ベース２に取付けられると、取付中に係合片２１、２２に生じた弾性変形が、取付完了時に元に戻ってクリック感が生じ、組立が正しく行われたと作業者が認識することができる。
【００２８】
一方、正規の取付方向に対して、左右が入れ替わった状態で、作業者がリレー１を取付ベース２に取付けようとすると、第２係合部１１ｂは第１係合部１１ａよりも幅が広いため、第２係合部１１ｂは第１被係合部２１ａに干渉して係合できない。第１係合部１１ａは、上方に突出する突出部１１ｃが第２被係合部２２ｂに干渉するため、第１係合部１１ａは第２被係合部２２ｂに係合できない。このため、リレー１と取付ベース２とを係合させることができず、取付方向の間違いが起こりにくくなる。さらに、係合によるクリック感が生じないため、作業者は組立方向が間違っていたと認識することができる。
【００２９】
リレー装置Ａを被取付部に取付ける作業の説明をする。被取付部には、第３被係合部２３ａ及び第４被係合部２４ｂと係合してリレー装置Ａを保持し、端子１２１〜１２４と電気的に接続するコネクタ（図示せず）が設けられている。このコネクタの側面には、第３被係合部２３ａ及び第４被係合部２４ｂに対応して係合する突出部が設けられている。作業者が、係合片２３、２４とコネクタの突出部が係合するように、リレー装置Ａに力を加える。すると、係合片２３、２４が互いに遠ざかる方向に弾性変形した後、コネクタの突出部と第３被係合部２３ａ及び第４被係合部２４ｂが係合して、係合片２３、２４の弾性変形が元に戻り、リレー装置Ａが被取付部に保持される。尚、リレー装置Ａを被取付部に取付ける際、正規の取付方向に対して、左右が入れ替わった状態の場合は、端子１２１〜１２４がコネクタに干渉するため、組立方向が間違っていたと作業者が認識することができる。
【００３０】
作業者がリレー装置Ａを被取付部から取外すには、係合片２３、２４を互いに遠ざかる方向に弾性変形させながら、上方にリレー装置Ａを引っ張ればよい。同様に、作業者がリレー１を取付ベース２から取外すには、係合片２１、２２を互いに遠ざかる方向に弾性変形させながら、上方にリレー１を引っ張ればよい。
【００３１】
上述のように、リレー装置Ａは、互いに平行な２側面を少なくとも１組有する略角柱状のリレー１と、差込接続されたリレー１を保持してリレー１を被取付部に取付けるための取付ベース２とを備える。２側面の一側の面に、第１係合部１１ａが設けられる。２側面の他側の面に、リレー１の差込方向と略直交する方向の幅が第１係合部１１ａよりも広い第２係合部１１ｂが設けられる。取付ベース２の第１係合部１１ａに対応する位置に、第１係合部１１ａと係合する第１被係合部２１ａが設けられる。取付ベース２の第２係合部１１ｂに対応する位置に、第２係合部１１ｂと係合する第２被係合部２２ｂが設けられる。そして、第２被係合部２２ｂと干渉して第１係合部１１ａと第２被係合部２２ｂとの係合を妨げる誤組防止部（突出部１１ｃ）が第１係合部１１ａに設けられたことを特徴とする。
【００３２】
これにより、正規の取付方向に対して、左右が入れ替わった状態で、作業者がリレー１を取付ベース２に取付けようとすると、第２係合部１１ｂは第１係合部１１ａよりも幅が広いため、第２係合部１１ｂは第１被係合部２１ａに干渉して係合できない。第１係合部１１ａは、突出部１１ｃが第２被係合部２２ｂに干渉するため、第１係合部１１ａは第２被係合部２２ｂに係合できない。よって、組立ミスが起こりにくくなる。また、本実施形態のような傾斜を第１係合部１１ａに設ける場合は、第１係合部１１ａが上端に突出部１１ｃを有すると、突出部１１ｃと第２被係合部２２ｂとの干渉がより確実に発生して、組立ミスをより起こりにくくすることができる。
【００３３】
このリレー装置Ａにおいて、第１係合部１１ａは凸形状であり、差込方向と平行な方向、又は、差込方向と直交する方向のうち少なくともいずれか一方向において張り出すように誤組防止部（突出部１１ｃ）が設けられたことが好ましい。
【００３４】
これにより、ハウジング１１を樹脂成形する際に用いる金型の設計が容易になる。    （実施形態２）
実施形態２のリレー装置Ａを図４〜図６に基づいて説明する。実施形態２のリレー装置Ａの動作は実施形態１と同じなのでその説明は省略し、実施形態１と異なる構成である突出部１１ｄ、１１ｄ及び第１被係合部２１ａのみを説明する。尚、以下の説明では、図４（ａ）に示す向きにおいて上下左右の方向を規定し、紙面手前側を前方、紙面奥側を後方として説明を行う。
【００３５】
第１係合部１１ａは、上端の突出部１１ｃと、下部の１１ｄ、１１ｄとが誤組防止部となっている。
【００３６】
第１係合部１１ａの上部には、実施形態１と同様に、第２係合部１１ｂの上端位置よりも更に上方に延びる突出部１１ｃが一体に設けられる。
【００３７】
第１係合部１１ａの下部には、前側面と後側面から前方と後方にそれぞれ延びて、左側面からの突出量が上部ほど大きくなるような略楔形の突出部１１ｄ、１１ｄが一体に設けられる。突出部１１ｄ、１１ｄによって、第１係合部１１ａの前後方向における最大幅は、第２係合部１１ｂの前後方向の幅よりも広い。
【００３８】
係合片２１には、第１係合部１１ａに対応する部位に第１被係合部２１ａが設けられている。
【００３９】
リレー装置Ａの組立作業について、正規の取付方向に対して、左右が入れ替わった状態で、作業者がリレー１を取付ベース２に取付けようとする場合について述べる。第２係合部１１ｂは、突出部１１ｄ、１１ｄを除く第１係合部１１ａの前後方向の幅よりも広いため、第２係合部１１ｂは第１被係合部２１ａに干渉して係合できない。第１係合部１１ａは、突出部１１ｃ、１１ｄ、１１ｄが第２被係合部２２ｂに干渉するため、第１係合部１１ａは第２被係合部２２ｂに係合できない。このため、リレー１と取付ベース２とを係合させることができず、取付方向の間違いが起こりにくくなる。さらに、係合によるクリック感が生じないため、作業者は組立方向が間違っていたと認識することができる。
【００４０】
また、誤組防止部（突出部１１ｄ、１１ｄ）は、第１係合部１１ａにおいて差込方向における前側に設けられている。
【００４１】
これにより、誤った方向で組立をしても、リレー１を取付ベース２に深く挿入する前に、突出部１１ｄ、１１ｄが第２被係合部２２ｂに干渉する。よって、より初期の段階で組立方向のミスに気付くことができる。
【００４２】
また、誤組防止部は、第１係合部１１ａの上端や下部に、第１係合部１１ａと一体に設けられるものに限るものではない。例えば、第１係合部１１ａの、上下方向における略中央部に、前後方向へ突出するように設けられても構わない。
【符号の説明】
【００４３】
Ａ  リレー装置
Ｓ  挿入空間
１  リレー
１１  ハウジング
１１ａ  第１係合部
１１ｂ  第２係合部
１１ｃ、１１ｄ  突出部（誤組防止部）
１２１、１２２、１２３、１２４  端子
２  取付ベース
２１、２２、２３、２４  係合片
２１ａ  第１被係合部
２２ｂ  第２被係合部
２３ａ  第３被係合部
２４ｂ  第４被係合部
２５、２６  ストッパ片
【図１】
0005899511.tif 000002
【図２】
0005899511.tif 000003
【図３】
0005899511.tif 000004
【図４】
0005899511.tif 000005
【図５】
0005899511.tif 000006
【図６】
0005899511.tif 000007